(57)【要約】【課題】本発明はメディアをその端子をコネクタに接続させて装着させる動作が信頼性高く行われるようにすることを課題とする。【解決手段】送り駆動ローラ４４がメモリカード１０を引き込んだ後に、ラック４６ｃがピニオン４３にかみ合い、ラック４６ｃが駆動され、フック４７がメモリカード１０の後端面１４を係止してＹ１方向に押し、メモリカード１０を強く押し込む。この過程で、端子１５がメモリカード用コネクタ３１と接続されて、メモリカード１０は装着される。【選択図】　　　図２
2004030426.tif 000002
【特許請求の範囲】
【請求項１】
コネクタを有し、且つ、メディアを装着させるメディア装着機構を有し、且つ挿入方向の先端側に端子を有するメディアをその端子をコネクタに接続させて装着させる構成のメディア装置において、
上記メディア装着機構は、
メディアを上記メディア装置内に引き込むメディア引き込み機構と、
動力をかみ合いによって伝達されて、上記メディア装置内に引き込まれたメディアを係止して更に移動させるメディア係止移動機構とよりなる構成としたことを特徴とするメディア装置。
【請求項２】
請求項１記載のメディア装置において、
上記メディア係止移動機構は、
移動可能なフレーム部材と、
該フレーム部材に設けてあり、上記メディア装置内に引き込まれたメディアを係止するフックと、
該フレーム部材を移動させるピニオンとラックとを有する機構とよりなる構成としたことを特徴とするメディア装置。
【請求項３】
請求項２記載のメディア装置において、
上記フックは、
メディア装置内に引き込まれたメディアの後端面を係止する構成であることを特徴とするメディア装置。
【請求項４】
請求項１記載のメディア装置において、
メディア引き込み機構は、送り駆動ローラを使用した構成であり、
且つ、上記メディアの端子が上記コネクタに接続された状態で、該送り駆動ローラをメディアから離す手段を更に有する構成としたことを特徴とするメディア装置。
【請求項５】
請求項４記載のメディア装置において、
送り駆動ローラをメディアから離す手段は、メディア係止移動機構に形成してあるカムである構成としたことを特徴とするメディア装置。
【発明の詳細な説明】
【０００１】
【発明の属する技術分野】
本発明はメディア装置に係り、特に挿入方向の先端側に端子を有するメディアがその端子をコネクタに接続させて装着させるメディア装置に関する。
【０００２】
【従来の技術】
従来のメディア装置は、メディア挿入口の近くにモータによって回転される一対の送り駆動ローラを備えた構成であり、メディアがメディア挿入口に挿入されると、送り駆動ローラが回転されて、メディアが送り駆動ローラに挟まれてメディア装置の内部に最終位置まで引き込まれて装着される構成である。
【０００３】
メディアがメモリカードのように挿入方向の先端側に端子を有する構成のである場合には、メディアはその端子がメディア装置内のコネクタに嵌合して接続されて装着される。
【０００４】
【発明が解決しようとする課題】
メディアの端子がメディア装置内のコネクタに嵌合して接続される最終段階では、それまでの引き込む力よりも強い力を必要とする。このため、状況によっては、送り駆動ローラがメディアに対してスリップして、メディアの引き込み力が十分に得られなくなって、メディアの端子のコネクタへの接続が不完全となる虞れがあった。
【０００５】
そこで、本発明は、上記課題を解決したメディア装置を提供することを目的とする。
【０００６】
【課題を解決するための手段】
請求項１の発明は、コネクタを有し、且つ、メディアを装着させるメディア装着機構を有し、且つ挿入方向の先端側に端子を有するメディアをその端子をコネクタに接続させて装着させる構成のメディア装置において、
上記メディア装着機構は、
メディアを上記メディア装置内に引き込むメディア引き込み機構と、
動力をかみ合いによって伝達されて、上記メディア装置内に引き込まれたメディアを係止して更に移動させるメディア係止移動機構とよりなる構成としたものである。
【０００７】
メディア係止移動機構は動力をかみ合いによって伝達されるため、すべりが無く、強い移動力を発生する。また、メディア係止移動機構はメディアを係止するため、すべりが無く、メディアを確実に移動させることが可能である。
【０００８】
請求項２の発明は、請求項１記載のメディア装置において、
上記メディア係止移動機構は、
移動可能なフレーム部材と、
該フレーム部材に設けてあり、上記メディア装置内に引き込まれたメディアを係止するフックと、
該フレーム部材を移動させるピニオンとラックとを有する機構とよりなる構成としたものである。
【０００９】
請求項３の発明は、請求項２記載のメディア装置において、
上記フックは、
メディア装置内に引き込まれたメディアの後端面を係止する構成としたものである
請求項４の発明は、請求項１記載のメディア装置において、
メディア引き込み機構は、送り駆動ローラを使用した構成であり、
且つ、上記メディアの端子が上記コネクタに接続された状態で、該送り駆動ローラをメディアから離す手段を更に有する構成としたものである。
【００１０】
送り駆動ローラがメディアから離されることによって、送り駆動ローラが押し付けられたままとされることが原因で無用に変形してしまうことが回避される。
【００１１】
請求項５の発明は、請求項４記載のメディア装置において、
送り駆動ローラをメディアから離す手段は、メディア係止移動機構に形成してあるカムである構成としたものである。
【００１２】
特別の部品を使用しないで実現可能となる。
【００１３】
【発明の実施の形態】
［第１実施例］
図１及び図２は、本発明の第１実施例になるメモリカード装置２０を、メモリカード１０と対応させて示す。Ｙ１はメモリカードが挿入されて装着される方向であり、Ｙ２はメモリカードがイジェクトされる方向である。Ｘ１−Ｘ２はメモリカード装置の幅方向、Ｚ１−Ｚ２はメモリカード装置の高さ方向である。メモリカード装置２０はコンピュータ装置と接続されている。
【００１４】
メモリカード１０は、図１に示すように、カード形状を有し、内部に半導体素子が組み込まれている。１１は上面、１２は下面、１３は先端部、１４は後端面、１５は端子である。端子１５は下面１２のうち先端部１３の部位にＸ１−Ｘ２方向に並んでいる。
【００１５】
メモリカード装置２０は、ベース部材２１にフロントベゼル２２とカバー部材２３とが組合わされてなる箱体の内部に、プリント回路基板３０上に実装されたメモリカード用コネクタ３１と、メモリカード装着機構４０とが組み込んである構成である。
【００１６】
メモリカード用コネクタ３１を覆って、メモリカード１０を保持するホルダ３３がプリント回路基板３０上に固定してある。メモリカード用コネクタ３１及びホルダ３３は、フロントベゼル２２のメモリカード挿入口２２ａに対向して位置している。図２に示すように、ホルダ３３のＸ１側の側板３３ａには、後述するスライダが通るスリット３３ｂが形成してある。
【００１７】
メモリカード装着機構４０は、図３（Ａ），（Ｂ）に示すように、モータ４１と、減速ギヤ群４２と、ピニオン４３と、送り駆動ローラ４４と、上側押え部材４５と、ラック部材４６と、フック４７と、スライダ４８等よりなる。
【００１８】
モータ４１の回転は、減速ギヤ群４２−１を介して減速されてピニオン４３と送り駆動ローラ４４とに伝達され、ピニオン４３と送り駆動ローラ４４とが同時に互いに逆方向に回転される。
【００１９】
送り駆動ローラ４４と滑り易い上側押え部材４５とは、図５（Ａ）に併せて示すように、Ｙ１−Ｙ２方向上はフロントベゼル２２とホルダ３３との間であって、Ｚ１−Ｚ２方向上はメモリカード挿入口２２ａの高さに、送り駆動ローラ４４が下側、上側押え部材４５が上側の位置関係で配置してある。上側押え部材４５に代えて、通常のローラでもよい。
【００２０】
送り駆動ローラ４４は、中央が両側の部分よりも少し細くなっており、メモリカード１０の下面１２のうち両側の部分に確実に当たる。また、送り駆動ローラ４４は、Ｚ１−Ｚ２方向に多少移動可能に設けてあり、且つＺ１方向にばね付勢されており、厚みの異なった別の種類のメモリカードにも対応が可能である。また、送り駆動ローラ４４は、上下の動作時に水平を維持する構成となっており、送り駆動ローラ４４は軽い負荷で回転し、モータ４１の負荷は軽い。
【００２１】
ラック部材４６は、略長方形のフレーム部４６ａと、このフレーム部４６ａからＸ２方向に延びている腕部４６ｂとよりなり、Ｙ１−Ｙ２方向に移動可能である。腕部４６ｂにフック４７が設けてあり、フレーム部４６ａにスライダ４８が固定してある。フレーム部４６ａの一部にラック４６ｃが形成してある。メモリカード装着前の状態では、ラック部材４６はＹ２方向に移動されており、図３（Ｃ）に拡大して示すように、ピニオン４３はラック４６ｃから外れている。
【００２２】
フック４７は、腕部４６ｂの先端に回動可能に設けてある。メモリカード装着前の状態では、フック４７は送り駆動ローラ４４よりもフロントベゼル２２側に位置しており、ばね（図示せず）によってＺ１方向に回動されて斜めとなっており、先端はＺ１方向に退避してメモリカード１０の挿入を妨害しないようになっている。図１及び図５（Ａ）に示すように、フック４７の根元に対向する部位には、カバー部材２３に形成してある押え用切り起こし部２３ａが位置している。
【００２３】
スライダ４８は、フレーム部４６ａのＹ１方向端の近くの位置に固定してあり、Ｘ２方向に突き出ており、図２の一部に拡大して示すように、ホルダ３３の側板３３ａのスリット３３ｂを通ってホルダ３３の内部に突き出ている。スライダ４８の形状は、メモリカード１０の先端側の斜辺部１６の形状に合わせて三角形である。
【００２４】
モータ４１、減速ギヤ群４２、送り駆動ローラ４４及び上側押え部材４５が、メディア引き込み機構を構成する。モータ４１、減速ギヤ群４２、ピニオン４３、ラック部材４６及びフック４７がメディア係止移動機構を構成する。
【００２５】
次にメモリカード１０を装着するときの動作を説明する。
【００２６】
操作者がメモリカード１０をフロントベゼル２２のメモリカード挿入口２２ａを通して挿入するとモータ４１が始動して正回転され、送り駆動ローラ４４が時計方向に回転を開始する。
【００２７】
メモリカード１０の先端部１３が送り駆動ローラ４４の位置まで挿入されると、この後は、図４（Ａ）及び図５（Ａ）に示すように、メモリカード１０が送り駆動ローラ４４と上側押え部材４５との間に挟まれて、回転している送り駆動ローラ４４によってＹ１方向に引き込まれる。メモリカード１０は、先端部１３からホルダ部３３内に入り込み、後端面１４がメモリカード挿入口２２ａを通過して全体がメモリカード装置２０の内部に入り込む。
【００２８】
メモリカード１０がその先端部１３がメモリカード用コネクタ３１の直前の位置に到るまで引き込まれると、斜辺部１５がスライダ４８に当たってこれを押し、図５（Ｂ）に拡大して示すように、ラック４６ｃがピニオン４３にかみ合い、ラック４６ｃが駆動され、ラック部材４６がＹ１方向に移動を開始する。
【００２９】
ラック部材４６がＹ１方向に移動を開始すると、図４（Ｂ）及び図５（Ｂ）に示すように、フック４７が押え用切り起こし部２３ａに係止されてばねに抗してＺ２方向に回動され、水平の状態とされ、メモリカード１０の後端面１４に対向してこれを係止し得る状態となる。その後もフック４７は押え用切り起こし部２３ａに係止され続けて水平に維持される。
【００３０】
ラック部材４６がＹ１方向に更に移動すると、フック４７がメモリカード１０の後端面１４を係止して、後端面１４をＹ１方向に押し、図４（Ｃ）及び図５（Ｃ）に示すように、メモリカード１０が後端面１４を押されてＹ１方向に最終の位置まで移動されて、端子１５がメモリカード用コネクタ３１と接続されて、メモリカード１０は装着される。
【００３１】
ここで、フック４７のＹ１方向への移動力は、ピニオン４３がラック４６ｃにかみ合ってラック４６ｃを駆動させることによって得ているため、滑りは起きず、この移動力は強い。よって、端子１５がメモリカード用コネクタ３１と接続されるときの負荷は大きいけれども、端子１５のメモリカード用コネクタ３１への接続は確実になされる。
【００３２】
この状態で、メモリカード１０にアクセスがなされ、情報の読み出し及び書き込みがなされる。
【００３３】
メモリカード１０は装着された状態で、メモリカード１０の後端面１４はフック４７によって係止されている。よって、メモリカード装置２０が例えば誤って床に落とされてメモリカード装置２０に強い衝撃が作用した場合でも、メモリカード１０は動かず、端子１５のメモリカード用コネクタ３１への接続状態が外れることは起きない。
【００３４】
なお、メモリカード１０をイジェクトするときにはイジェクト釦２２ｂを押す。この操作によって、モータ４１が始動して逆回転され、ラック部材４６がＹ２方向に移動を開始されると共に送り駆動ローラ４４が反時計方向に回転を開始する。これによって、メモリカード１０は最初はスライダ４８によって斜辺部１５を押されてラック部材４６と共にＹ２方向に移動され、端子１５がメモリカード用コネクタ３１から外され、続いて、送り駆動ローラ４４によってＹ２方向に移動されてイジェクトされる。
［第２実施例］
図６は本発明の第２実施例になるメモリカード装置２０Ａを示す。メモリカード装置２０Ａは、図１及び図２に示すメモリカード装置２０とは、ラック部材４６Ａが相違する。
【００３５】
ラック部材４６Ａは、フレーム部４６ａＡが図２に示すラック部材４６のフレーム部４６ａのＹ２側に、カム部４６ｄＡが追加された構成である。横に倒れた略Ｕ字形状部４６ｅＡが、その両端をフレーム部４６ａＡのＹ２側の端に連結されてＹ２側に張り出している。この略Ｕ字形状部４６ｅＡの内側は、開口４６ｆＡである。カム部４６ｄＡは、この略Ｕ字形状部４６ｅＡの内周部に形成してあり、Ｚ１−Ｚ２方向に対して時計方向に約４５度傾斜した面を有している。送り駆動ローラ４４の軸４４ａが開口４６ｆＡを貫通している。
【００３６】
メモリカード１０を装着するときの動作は、以下の点を除いて上記のメモリカード装置２０と同じく、最初に図７（Ａ）、図８（Ａ）に示す状態となり、次いで図７（Ｂ）、図８（Ｂ）に示す状態となり、最終的に図７（Ｃ）、図８（Ｃ）に示す状態とされて行われる。
【００３７】
ラック部材４６Ａが図７（Ｂ）、図８（Ｂ）に示す状態からＹ１方向に移動されて最終的に図７（Ｃ）、図８（Ｃ）に示す状態とされる過程において、カム部４６ｄＡが送り駆動ローラ４４の軸４４ａを押して、ばねに抗してＺ２方向に押し下げる。
【００３８】
これによって、送り駆動ローラ４４がＺ２方向に変位されて、送り駆動ローラ４４がメモリカード１０の下面１２から離された状態とされる。これによって、送り駆動ローラ４４が熱等の影響で変形してしまう事故が未然に防止される。
［変形例］
メモリカードが側面に切欠部を有する形状である場合には、フックがメモリカード１０の側面の切欠部を係止するようにしてもよい。
【００３９】
また、フックがメモリカードの後端面を係止する方向にばね付勢されるようにし、フックを支え部材によってメモリカードから離しておき、ラック部材がＹ１方向に移動すると、フックが支え部材から外れて、ラック部材がばね力によって動かされてメモリカードの後端面を係止するようにしてもよい。
【００４０】
送り駆動ローラ４４に代えて、ベルトを使用する構成としてもよい。また、ラックのピニオンに代えて、ウォームギヤで構成してもよい。
【００４１】
【発明の効果】
上述の如く、本発明によれば、メディアをメディア引き込み機構によってメディア装置内に引き込み、メディアの端子をコネクタに接続させる段階では、メディア係止移動機構によってメディアを係止して押し込む構成であるため、メディアに強い力を作用させることが出来、よって、メディアの端子をコネクタに接続させてメディアを装着させる動作を安定に行うことが出来るという特長を有する。
【図面の簡単な説明】
【図１】本発明の第１実施例になるメモリカード装置をメモリカードと併せて示す斜視図である。
【図２】図１のメモリカード装置の内部の構造を示す斜視図である。
【図３】図１のメモリカード装置の内部の構造を示す図である。
【図４】メモリカードを装着するときの動作を示す図である。
【図５】図４（Ａ），（Ｂ），（Ｃ）に対応する図である。
【図６】本発明の第２実施例になるメモリカード装置の内部の構造をメモリカードと併せて示す斜視図である。
【図７】メモリカードを装着するときの動作を示す図である。
【図８】図７（Ａ），（Ｂ），（Ｃ）に対応する図である。
【符号の説明】
１０　メモリカード
１３　先端部
１４　後端面
１５　端子
２０，２０Ａ　メモリカード装置
２２　フロントベゼル
３１　メモリカード用コネクタ
４０　メモリカード装着機構
４１　モータ
４２　減速ギヤ群
４３　ピニオン
４４　送り駆動ローラ
４６　ラック部材
４６ｃ　ラック
４６ｄＡ　カム部
４７　フック
４８　スライダ
【図１】
2004030426.tif 000003
【図２】
2004030426.tif 000004
【図３】
2004030426.tif 000005
【図４】
2004030426.tif 000006
【図５】
2004030426.tif 000007
【図６】
2004030426.tif 000008
【図７】
2004030426.tif 000009
【図８】
2004030426.tif 000010